(57)【要約】      （修正有）【課題】接着剤がフェルールベースから漏れ出ることを防止し、フェルールブーツの組み立て作業を容易化する光コネクタを提供する。【解決手段】光を伝播する複数のコアが幅方向に配列された光導波路５と、光導波路５が接着剤により接着される光導波路配設部を有するフェルールベース２と、光導波路配設部を覆うようにフェルールベース２に配設されるフェルールカバー３とを有するフェルールとを有し、フェルールベース２の光導波路配設部の側部位置に、接着剤の漏出を防止する漏出防止部を設ける。また、フェルールブーツ４の組み立て容易化を図るため、接着剤不要の構造とする。【選択図】図１
2016142951.tif 000002
【特許請求の範囲】
【請求項１】
光を伝播する複数のコアが幅方向に配列された光導波路と、
前記光導波路が接着剤により接着される光導波路配設部を有するフェルールベースと、
前記光導波路配設部を覆うように前記フェルールベースに配設されるフェルールカバーとを有し、
前記フェルールベースの前記光導波路配設部に、前記接着剤の漏出を防止する漏出防止部を設けたことを特徴とする光コネクタ。
【請求項２】
前記漏出防止部は、
前記光導波路配設部の両側位置に前記光導波路の延在方向に沿って形成された壁部であることを特徴とする請求項１記載の光コネクタ。
【請求項３】
前記フェルールカバーは、
前記漏出防止部の形成位置に対応した位置に、前記フェルールベースに対して前記フェルールカバーを位置決めする位置決め部を有することを特徴とする請求項１又は２記載の光コネクタ。
【請求項４】
前記光導波路が内部を貫通すると共に前記フェルールベース及び前記フェルールカバーの後端部に装着されるブーツを更に設け、
前記フェルールベースに第１の係合部を設けると共に、前記ブーツに前記ブーツが前記フェルールベースに挿入される際に前記第１の係合部と係合する第２の係合部を設けたことを特徴とする請求項１乃至３のいずれか一項に記載の光コネクタ。
【請求項５】
光を伝播する複数のコアが幅方向に配列された光導波路と、
ガイドピンが挿入されるガイドピン用孔が形成されたフェルールベースと、
前記光導波路を挟むよう前記フェルールベースに配設されるフェルールカバーとを有し、
前記ガイドピン用孔は、前記フェルールベースを貫通しないことを特徴とする光コネクタ。
【発明の詳細な説明】
【技術分野】
【０００１】
本発明は、光コネクタに関する。
【背景技術】
【０００２】
光コネクタはフェルールを有しており、光を伝播する光導波路はフェルールに装着される。また光コネクタには、フェルールの光導波路のコアと対向する位置にレンズが形成されたものがあり、レンズを介して光の伝播を行うことにより、接続損失の低下を図ることが行われている。接続損失を低減するためには、光導波路のコアとフェルールのレンズを高精度に位置決めして固定する必要がある。
【０００３】
そこで、フェルールをフェルールベースとフェルールカバーとにより構成し、レンズと光導波路を位置決めした上で、フェルールカバーとフェルールベースとの間で光導波路を挟み、接着剤を用いてフェルールカバー、フェルールベース、及び光導波路を接着剤することにより固定することが行われている（特許文献１）。また接着剤としては、紫外線硬化型の接着剤が用いられている。
【先行技術文献】
【特許文献】
【０００４】
【特許文献１】特開２００８−８９８７９号公報
【発明の概要】
【発明が解決しようとする課題】
【０００５】
しかしながら、光導波路をフェルールカバーとフェルールベースとの間で挟み込む際、フェルールベースとフェルールカバーとの間から硬化前の接着剤が漏出してしまうという問題点があった。フェルールベースとフェルールカバーとの間から接着剤が漏出した場合、これを除去する処理が別個に必要となり、光コネクタの組み立て作業が面倒になる。
【０００６】
本発明は上記に鑑みてなされたものであって、接着剤の漏洩を防止し、組み立て作業を容易化する光コネクタを提供することを目的とする。
【課題を解決するための手段】
【０００７】
本発明のある態様によると、
光を伝播する複数のコアが幅方向に配列された光導波路と、
前記光導波路が接着剤により接着される光導波路配設部を有するフェルールベースと、前記光導波路配設部を覆うように前記フェルールベースに配設されるフェルールカバーとを有するフェルールとを有し、
前記フェルールベースの前記光導波路配設部に、前記接着剤の漏出を防止する漏出防止部を設ける。
【発明の効果】
【０００８】
本発明の実施形態によれば、フェルールベースとフェルールカバーとの間から接着剤が漏出することを防止し、フェルールブーツの組み立て作業を容易化できる。
【図面の簡単な説明】
【０００９】
【図１】第１実施形態による光コネクタの斜視図である。
【図２】第１実施形態による光コネクタの分解斜視図である。
【図３】第１実施形態によるによる光コネクタのフェルールベースを示しており、（Ａ）は斜視図、（Ｂ）は平面図である。
【図４】第１実施形態による光コネクタのフェルールカバーを示しており、（Ａ）は斜視図、（Ｂ）は底面図である。
【図５】図１におけるＡ−Ａ線に沿う断面図である。
【図６】フェルールベースに光導波路及びブーツを装着した状態を示す平面図である。
【図７】フェルールベースとフェルールカバーとの間に配設される接着剤を説明するための断面図である。
【図８】第２実施形態による光コネクタを示し、（Ａ）は斜視図、（Ｂ）は（Ａ）のＢ−Ｂ線に沿う断面図である。
【図９】第２実施形態による光コネクタに適用できるブーツを示す斜視図である。
【図１０】第３実施形態による光コネクタの断面図である。
【図１１】第４実施形態による光コネクタの断面図である。
【図１２】第４実施形態に適用できるブーツを示す斜視図である。
【図１３】第５実施形態による光コネクタの断面図である。
【図１４】第５実施形態に適用できるブーツを示す斜視図である。
【図１５】第６実施形態による光コネクタを説明するための図である。
【図１６】第７実施形態による光コネクタを説明するための図である。
【発明を実施するための形態】
【００１０】
次に、添付の図面を参照しながら、本発明の限定的でない例示の実施形態について説明する。
【００１１】
なお、添付の全図面の中の記載で、同一又は対応する部材又は部品には、同一又は対応する参照符号を付し、重複する説明を省略する。また、図面は、特に指定しない限り、部材もしくは部品間の相対比を示すことを目的としない。従って、具体的な寸法は、以下の限定的でない実施形態に照らし、当業者により決定することができる。
【００１２】
また、以下説明する実施形態は、発明を限定するものではなく例示であって、実施形態に記述される全ての特徴やその組み合わせは、必ずしも発明の本質的なものであるとは限らない。
【００１３】
図１〜図５は、第１実施形態による光コネクタ１Ａを示している。光コネクタ１Ａは、フェルールベース２、フェルールカバー３、ブーツ４、光導波路５を有している。
【００１４】
なお、図１は光コネクタ１Ａの斜視図であり、図２は光コネクタ１Ａの分解斜視図である。図３はフェルールベース２を示し、図４はフェルールカバー３を示し、図５は図１におけるＡ−Ａ線に沿う断面を示している。
【００１５】
また以下に示す図面において、Ｘ１，Ｘ２方向は光コネクタ１Ａの幅方向、Ｙ１，Ｙ２方向は光コネクタ１Ａの前後方向、Ｚ１方向は光コネクタ１Ａの上方向、Ｚ２方向は光コネクタ１Ａの下方向を示している。
【００１６】
フェルールベース２は、例えば伝搬光に対し透明な樹脂を用いてモールド成型により形成されている。またフェルールベース２は、図１〜図３に示すように接続部６、レンズアレイ９、カバー装着部８、ガイドピン用孔１０，１１、光導波路装着面１２、ブーツ装着部１３、及び突出壁１７，１８を有している。
【００１７】
接続部６は、フェルールベース２の前方においてカバー装着部８に対して起立するよう形成されている。接続部６は、他の光コネクタが接続される部位である。レンズアレイ９は、接続部６に形成されている。
【００１８】
カバー装着部８には、フェルールカバー３が装着され接着剤２２により固定される。カバー装着部８は、接続部６の後部（Ｙ２側）に形成されている。カバー装着部８の後端部は、フェルールベース２の背面と接している。また接続部６とカバー装着部８は、側面視でＬ字形となるよう形成されている。
【００１９】
カバー装着部８の上面の両側位置には、上面８ａ，８ｂが前後方向に延在するよう形成されている。上面８ａと上面８ｂとの間には、光導波路装着面１２、傾斜面１４が形成されている。
【００２０】
レンズアレイ９は、複数の小レンズを幅方向に一列に配列した構成とされている。レンズアレイ９を構成する各小レンズは、フェルールベース２に光導波路５が装着された際、光導波路５に形成されたコア５２の端部と対向する。
【００２１】
また接続部６の背面（Ｙ２方向側の面）は、フェルールベース２内に装着される光導波路５の前方位置に高精度に一致するよう形成されている。以下、接続部６の背面を先端基準面６ａという。光導波路５を位置決めする際、光導波路５の先端部を先端基準面６ａに当接させる。これにより光導波路５は、フェルールベース２内で前後方向に位置決めされる。
【００２２】
また接続部６の幅方向に対する両側位置には、ガイドピン用孔１０，１１が設けられている。ガイドピン用孔１０，１１には、ガイドピンＧＰが挿入される（図１参照）。ガイドピンＧＰにより、光コネクタ１Ａと接続される他の光コネクタとの位置決めを行う。
【００２３】
ガイドピン用孔１０，１１は、フェルールベース２を前後方向（Ｙ１，Ｙ２方向）に貫通しない構成としている。具体的には、ガイドピン用孔１０，１１は接続部６を貫通するよう形成されているが、接続部６の先端基準面６ａからフェルールベース２の背面に至るまで形成されたカバー装着部８を貫通するようには形成されていない。
【００２４】
このように、ガイドピン用孔１０，１１がフェルールベース２を貫通しない構成とすることにより、フェルールベースを貫通する貫通孔を設けた構成に比べ、フェルールベース２における光導波路５の配設位置の自由度を高めることができる。
【００２５】
仮に図６に一点鎖線で示すようにガイドピン用孔１０Ａ，１１Ｂを、フェルールベース２をＹ方向に貫通する貫通孔とした場合、ガイドピン用孔１０Ａ，１１Ｂがフェルールベース２及び光導波路５と干渉してしまい、フェルールベース２及び光導波路５の配設位置が規制されてしまう。
【００２６】
これに対し、ガイドピン用孔１０，１１がフェルールベース２をＹ方向に貫通しない構成とすることにより、フェルールベース２における光導波路５の配設位置の配設スペースを広く取ることが可能になる。
【００２７】
なお本実施形態では、ガイドピン用孔１０に対応する上面８ａにはピン挿入溝１６が形成されており、ガイドピンはピン挿入溝１６の形成位置まで挿入される構成となっている。
【００２８】
光導波路装着面１２は、光導波路５の高さ方向位置決めを行う面である。光導波路装着面１２は、カバー装着部８の前方に形成されている。光導波路装着面１２の上部には、光導波路５が配設される。光導波路装着面１２の高さは、フェルールベース２内の光導波路５の高さと高精度に一致するよう形成されている。フェルールベース２に光導波路５を装着する際、光導波路５を光導波路装着面１２に押圧することにより、光導波路５の高さ方向（Ｚ１，Ｚ２方向）に対する位置決めが行われる。
【００２９】
また光導波路装着面１２は、図５に示ように、上面８ａに対して低く（下方に位置するよう）形成されている。よって上面８ａと光導波路装着面１２との間には段差が形成される。
【００３０】
上面８ａと光導波路装着面１２との段差部分に形成される垂立面は、フェルールベース２内に装着される光導波路５の側端部（Ｘ２方向側の位置）に高精度に一致するよう形成されている。以下、この上面８ａと光導波路装着面１２との間に形成される垂立面を第１基準面２０という。
【００３１】
また、光導波路装着面１２の第１基準面２０と反対側の側部には、傾斜面１９が形成されている。光導波路装着面１２（傾斜面１４の一部を含む）と上面８ｂは、傾斜面１９により連続する。上面８ｂは、光導波路装着面１２に対して上方に位置している。よって傾斜面１９は、光導波路装着面１２から上面８ｂに向けて斜め下方に延出した面となっている。
【００３２】
なお、上面８ａは光導波路装着面１２よりも上方に位置するため、図５に示すように上面８ａ，８ｂと光導波路装着面１２の高さ関係は、（上面８ａの高さ）＞（光導波路装着面１２の高さ）＞（上面８ｂの高さ）となる。
【００３３】
ブーツ装着部１３には、光導波路５を保護するブーツ４が装着される。具体的には、フェルールカバー３がフェルールベース２に装着された状態において、フェルールベース２に形成されたブーツ装着部１３とフェルールカバー３に形成されたブーツ装着部３３との間にブーツ４が装着される。
【００３４】
ブーツ装着部１３は、光導波路装着面１２に対して低い位置に形成されている。ブーツ装着部１３の形状は、ブーツ４の形状に対応している。また、ブーツ装着部１３と光導波路装着面１２は、傾斜面１４により接続されている。
【００３５】
上面８ａの外側の縁には、上方に突出する突出壁１７が形成されている。突出壁１７は、上面８ａの長手方向の縁（Ｘ２側の側縁）に沿って前後方向に延出するよう形成されている。また突出壁１７の前方端部は接続部６に接合しており、後方端部はフェルールベース２の背面まで延出している。
【００３６】
上面８ｂの縁には、上方に突出する突出壁１８が形成されている。突出壁１８は、上面８ｂの長手方向の縁（Ｘ１側の側縁）に沿って前後方向に延出するよう形成されている。また突出壁１８の前方端部は接続部６に接合しており、後方端部はフェルールベース２の背面まで延出している。なお図３（Ｂ）では、突出壁１７，１８に梨地を付して示している。
【００３７】
フェルールカバー３は、フェルールベース２に装着される。フェルールカバー３は、図１、図２、及び図４に示すように、窓部２５、先端面２６、押圧部２９、対向部３０、ブーツ装着部３３を有している。
【００３８】
なお以下の説明において、フェルールカバー３がフェルールベース２に装着された際にフェルールカバー３の接続部６と対向する側（Ｙ１方向側）の面を前面、接続部６と対向する前面とは反対側（Ｙ２方向側）の面を背面として説明することがある。
【００３９】
窓部２５はフェルールカバー３を上下に貫通した開口であり、フェルールカバー３の略中央位置に形成されている。窓部２５は、フェルールベース２の内部に接着剤２２を導入する接着剤導入口として機能する。
【００４０】
フェルールカバー３の前面である先端面２６は、フェルールカバー３がフェルールベース２に装着された際に接続部６の先端基準面６ａと対向する。先端面２６の上端部には、一対の突起部２７が幅方向に離間して形成されている。突起部２７は、先端面２６から前方に突出するよう形成されている。
【００４１】
また先端面２６の上端部の突起部２７が形成されてない部分には面取り部２８が形成されている。面取り部２８は、先端面２６に対して所定の角度を有した傾斜面である。
【００４２】
フェルールカバー３の下面には、フェルールベース２に対向する対向部３０が形成されている。フェルールカバー３の対向部３０の両側となる位置には、下面３０ａ，３０ｂが形成されている。下面３０ａ及び下面３０ｂは、図４（ｂ）に図示するように前後方向に延在するよう形成されている。また、下面３０ａの外側には段差３１ａが形成され、下面３０ｂの外側には段差３１ｂが形成されている。
【００４３】
下面３０ａと下面３０ｂとの間には、押圧部２９、傾斜面３２、ブーツ装着部３３が形成されている。
【００４４】
押圧部２９は、フェルールカバー３がフェルールベース２に装着された際、光導波路５を光導波路装着面１２に向けて押圧するものである。押圧部２９は、対向部３０の前方位置に形成されている。押圧部２９は、図５に示すように、下面３０ｂに対し上方に位置するよう形成されており、下面３０ｂと押圧部２９との間の段差には上下方向に延出する垂直面３４が形成されている。垂直面３４は、光導波路５をフェルールベース２上に位置決めするときに光導波路５の側面と当接する面となる。以下、この垂直面を当接面３４という。
【００４５】
なお、下面３０ａは押圧部２９よりも上方に位置するため、図５に示すようにフェルールカバー３をフェルールベース２に装着した状態における下面３０ａ，３０ｂと押圧部２９の高さ関係は、（下面３０ａの高さ）＞（押圧部２９の高さ）＞（下面３０ｂの高さ）となる。
【００４６】
ブーツ装着部３３は、前記のようにブーツ４が装着される。ブーツ装着部３３は、押圧部２９に対し上方に位置するよう形成されている。
【００４７】
ブーツ４は光導波路５を保護するものであり、弾性材料により形成されている。ブーツ４は、図２に示すように、本体部４１とガイド部４２を有している。
【００４８】
本体部４１は光導波路を保持する部分であり、光導波路５を挿通する挿通孔が形成されている。ガイド部４２は、本体部４１の前面に挿通孔を挟んで一対形成されている。ガイド部４２は、一端が本体部４１に固定され、他端は自由端とされた片持ち梁構造とされている。
【００４９】
光導波路５は、フィルム状の基部５１内に複数のコア５２を有した構成とされている。また光導波路５は、先端部に幅狭部５３が形成されている。光導波路５がブーツ４に装着された際、図６に示すように、幅狭部５３は一対のガイド部４２間から前方に延出する。また接続部６に形成されるレンズアレイ９の配設ピッチは、光導波路５に形成されるコア５２のピッチと同一ピッチとされている。
【００５０】
光コネクタ１Ａの組み立てるには、まずブーツ４に光導波路５を挿入する。次に、光導波路が挿入されたブーツ４をフェルールベース２のカバー装着部８上に装着する。この際、光導波路が装着されるフェルールベース２の光導波路装着面１２には、予め接着剤２２を塗布しておく。
【００５１】
ブーツ４がカバー装着部８に装着された状態では、図６に示すようにガイド部４２はブーツ装着部１３に位置しており、幅狭部５３は光導波路装着面１２の上部に位置している。
【００５２】
また、光導波路５を光導波路装着面１２上に装着する際、光導波路５の先端部（Ｙ１方向の端部）を接続部６の先端基準面６ａに当接させる。光導波路５の先端部が先端基準面６ａに当接することにより、フェルールベース２内における光導波路５の前後方向の位置決めが行なれる。
【００５３】
なお、接着剤２２は紫外線硬化型の接着剤であり、紫外線を照射して硬化させる前までは流動性を有している。よって接着剤２２の硬化前では、光導波路５（幅狭部５３）を光導波路装着面１２上で変位させることができる。
【００５４】
ブーツ４及び光導波路５がフェルールベース２に装着されると、フェルールベース２にフェルールカバー３を装着する。
【００５５】
フェルールベース２のカバー装着部８（上面８ａ，８ｂ）の両側の縁には突出壁１７，１８が形成されており、フェルールカバー３の下面３０ａ，３０ｂの外側には段差３１ａ，３１ｂが形成されている。突出壁１７，１８及び段差３１ａ，３１ｂは、外部から見易い位置に設けられている。また、フェルールベースにフェルールカバーを装着した際、突出壁１７，１８は、段差３１ａ，３１ｂの外側に位置するよう構成されている（図５参照）。
【００５６】
よって、フェルールカバー３をフェルールベース２に装着する際、突出壁１７，１８及び段差３１ａ，３１ｂをフェルールカバー装着の目安とし、段差３１ａ，３１ｂを一対の突出壁１７，１８の間に嵌入するよう装着することにより、装着時におけるフェルールベース２に対するフェルールカバー３の位置決めを容易に行うことができる。
【００５７】
また、フェルールカバー３をフェルールベースに装着する際、図５に示すように、光導波路５（幅狭部５３）のＸ１方向側の端部をフェルールカバー３の当接面３４に当接させる。そして、この状態でフェルールカバー３をＸ２方向に移動することにより、光導波路５を第１基準面２０に当接させる。光導波路５の側縁が第１基準面２０に当接することにより、光導波路５の幅方向に対する位置決めが行われる。
【００５８】
次に、光導波路５の側縁を第１基準面２０に当接させた状態、及び光導波路５の前端部を先端基準面６ａに当接した状態を維持しつつ、フェルールカバー３をフェルールベースに対して押圧する。この押圧処理を行うことにより、押圧部２９は光導波路５（幅狭部５３）を光導波路装着面１２に押圧し、この押圧によって光導波路５の高さ方向に対する位置決めが行われる。
【００５９】
光導波路５がフェルールベース２の所定装着位置に位置決めされることにより、光導波路５に設けられた複数のコア５２の先端部は、接続部６に形成されたレンズアレイ９と高精度に対向した状態となる。よって、コア５２の先端部とレンズアレイ９との接続位置で光信号の伝達効率が低下することを防止することができる。
【００６０】
光導波路５の位置決めが終了すると、この位置決め状態を維持しつつ、フェルールカバー３に形成された窓部２５から接着剤２２をフェルールベース２とフェルールカバー３の間に充填する。
【００６１】
窓部２５は、フェルールカバー３の上面に形成されているため、接着剤２２を光コネクタ１Ａの上部から充填することができ、よって接着剤２２の充填処理を容易に行うことができる。また、窓部２５の下部にはブーツ４が配設されているため、窓部２５から接着剤２２を充填することにより、ブーツ４に直接接着剤を塗布することができる。
【００６２】
一方、フェルールカバー３をフェルールベースに装着する際、フェルールカバー３の先端面２６と接続部６の先端基準面６ａは対向した状態となる。先端面２６には前方に突出する突起部２７が形成されているため、突起部２７が先端基準面６ａに当接することにより、図７に示すように先端基準面６ａと先端面２６との間には間隙が形成される。なお、図７には突起部２７と先端基準面６ａとの当接状態は図示されていない。
【００６３】
光導波路装着面１２に塗布した接着剤２２及び窓部２５から充填した接着剤２２は、光導波路５の位置決め時及びフェルールカバー３の装着時に先端基準面６ａと先端面２６との間の間隙に入り込む。間隙に進行した接着剤２２により、先端基準面６ａと先端面２６とが接着される。
【００６４】
先端基準面６ａと先端面２６を確実に接着するためには、間隙内に十分な接着剤が充填されることが望ましい。しかしながら、間隙の上端部からフェルールカバー３の上面に接着剤が漏洩するのは望ましくない。
【００６５】
先端面２６の上端部に形成された面取り部２８は、先端基準面と先端面との間隙に進行した接着剤２２の溜り部として機能する。よって、間隙内を上方に向けて移動して間隙の上端部に至った接着剤２２は、面取り部２８に溜められる。これにより、先端基準面６ａと先端面２６の接着を確実に行うことができると共に、間隙の上端部から接着剤２２が外部に漏出することを防止できる。
【００６６】
また、窓部２５から充填される接着剤２２は、硬化前であるため液状状態である。よって、窓部２５に充填された接着剤２２は、カバー装着部８の上面８ａ，８ｂにも流出する。上面８ａ，８ｂに流出した接着剤２２がそのままフェルールベース２の外部に漏れ出た場合、これを除去する作業が必要となる。
【００６７】
しかしながら上面８ａ，８ｂの外側縁位置には、図５に示すように、突出壁１７，１８が上方に向けて突出形成されている。突出壁１７，１８は、接着剤２２がフェルールベース２から外部に漏れ出ることを防止するダムとして機能する。よって、フェルールベース２の外部に接着剤２２が漏れ出ることを防止でき、漏れ出た接着剤の除去を不要にすることができる。
【００６８】
なお、突出壁１７，１８の形成位置は必ずしも上面８ａ，８ｂの外側の縁に限定されるものではなく、縁より内側に形成してもよい。
【００６９】
上記のように窓部２５からフェルールベース２とフェルールカバー３との間に接着剤２２が充填されると、接着剤２２に対して紫外線照射が行われる。紫外線が照射されることにより接着剤２２は硬化し、よってフェルールベース２とフェルールカバー３、及びブーツ４とブーツ装着部１３，３３とが固定される。以上の処理により、光コネクタ１Ａは組み立てられる。
【００７０】
次に、図８〜図１６を用いて、第２〜第７実施形態による光コネクタ１Ｂ〜１Ｇについて説明する。なお、図８〜図１６において、図１〜図７に示した第１実施形態に係る光コネクタ１Ａと対応する構成については同一符号を付しその説明を省略する。
【００７１】
図８及び図９は、第２実施形態による光コネクタ１Ｂを説明するための図である。
【００７２】
光コネクタ１Ｂは、フェルールカバー３Ａに窓部２５が形成されていない。また、光導波路５の先端部は、接着剤２２により光導波路装着面１２と押圧部２９との間で接着されている。
【００７３】
光コネクタ１Ｂには、図９（Ａ）に示すようにブーツ４Ａのガイド部４２に断面が円形状の係合孔４３が形成されている。また、ブーツ装着部１３，３３でブーツ４Ａの係合孔４３の形成位置と対応する位置には、内側に向けて突出する係合突起３６が形成されている。本実施形態では、係合突起は円柱状であるものとする。
【００７４】
光コネクタ１Ｂを組み立てるには、フェルールベース２にフェルールカバー３を固定した上で、フェルールベース２及びフェルールカバー３の背面に形成された開口４９からブーツ４Ａを挿入する。
【００７５】
ブーツ４Ａが開口４９に挿入されると、ガイド部４２の先端部はブーツ装着部１３，３３に形成された係合突起３６に当接する。ブーツ４Ａは弾性を有しているため、ガイド部４２が係合突起３６に当接した後、更にブーツ４Ａを前方に押圧すると、ブーツ４Ａが変形し、係合突起３６をガイド部４２の先端部が乗り越えて係合突起３６と係合孔４３が係合する。係合突起３６が係合孔４３に係合することにより、ブーツ４Ａの前後方向に対する移動が規制される。
【００７６】
これにより本実施形態の光コネクタ１Ｂでは、接着剤を用いることなくブーツ４Ａをブーツ装着部１３，３３に固定することが可能になる。ブーツの固定に接着剤が不要になることにより、光コネクタ１Ｂの組み立て作業の容易化を図ることができる。
【００７７】
なお、係合孔４３の形状は、図９（Ａ）のような断面円形状に限定されるものではなく、図９（Ｂ）に示すブーツ４Ａのように、断面矩形状の係合孔４３Ａとしてもよい。この場合、係合突起３６の形状も係合孔４３Ａの形状と合わせた断面矩形状の係合突起とする。また、係合孔４３，４３Ａ及び係合突起３６の配設数は１個に限定されるものではなく、複数設ける構成としてもよい。
【００７８】
図１０は、第３実施形態による光コネクタ１Ｃを説明するための図である。
【００７９】
光コネクタ１Ｃも、光コネクタ１Ｂと同様にフェルールカバー３Ａに窓部２５が形成されていない。また、光導波路５の先端部は、接着剤２２により光導波路装着面１２と押圧部２９との間で接着されている。
【００８０】
光コネクタ１Ｃでは、フェルールベース２及びフェルールカバー３に形成した係合突起３７に傾斜面３７ａを形成している。係合突起３７に傾斜面３７ａを形成することにより、ブーツ４を開口４９に挿入する際、ガイド部４２の先端部は傾斜面３７ａに案内されながら進行する。このため、係合突起３７と係合孔４３とを小さい挿入力で係合させることができ、組み立て性を向上させることができる。
【００８１】
またブーツ４に引き抜き方向（Ｙ２方向）の力が印加されたときは、係合突起の前端部に形成されている垂立面３７ｂが係合孔４３の縁部に当接するため、ブーツ４Ａのブーツ装着部１３，３３からの離脱を防止することができる。
【００８２】
図１１及び図１２は、第４実施形態による光コネクタ１Ｄを説明するための図である。
【００８３】
光コネクタ１Ｄは、図１２（Ａ）に示すようにブーツ４Ｃのガイド部４２に円柱状の係合突起４４が形成されている。また、ブーツ装着部１３，３３のブーツ４Ｃの係合突起４４の形成位置に対応する位置には、係合孔３８が形成されている。
【００８４】
本実施形態において開口４９からブーツ４Ｃが挿入されると、ガイド部４２に形成された係合突起４４は開口４９の縁部に当接する。その後更にブーツ４Ｃを前方に押圧すると、ガイド部４２は弾性変形し、ブーツ装着部１３，３３を摺動しつつ進行する。そして、係合突起４４が係合孔３８の位置に来たときに、ガイド部は元の形状に戻り、これにより係合突起４４は係合孔３８に係合する。
【００８５】
係合突起４４が係合孔３８に係合することにより、ブーツ４Ｃの前後方向に対する移動が規制される。よって光コネクタ１Ｄにおいても、接着剤を用いることなくブーツ４Ｃをブーツ装着部１３，３３に固定することが可能になる。
【００８６】
なお、ブーツ４Ｃに形成される係合突起４４の形状は断面円形状に限定されるものではなく、図１２（Ｂ）に示すブーツ４Ｄのように断面矩形状の係合突起４４Ａとしてもよい。この場合、係合孔の形状も係合突起４４Ａの形状と同じく矩形状の係合孔とする。また、係合突起４４及び係合孔３８の配設数は１個に限定されるものではなく、複数設ける構成としてもよい。
【００８７】
図１３及び図１４は、第５実施形態による光コネクタ１Ｅを説明するための図である。
【００８８】
光コネクタ１Ｅは、図１４に示すように、ブーツ４Ｅに形成した係合突起４５に傾斜面４５ａを形成している。係合突起４５に傾斜面４５ａを形成することにより、ブーツ４をブーツ装着部１３，３３に挿入する際、係合突起４５は傾斜面４５ａの尖った部分から開口４９内に挿入される。
【００８９】
このため、ブーツ４Ｅを小さい挿入力で円滑にブーツ装着部１３，３３内に挿入することができる。またブーツ４に引き抜き方向（Ｙ２方向）の力が印加されたときは、係合突起４５の後端部に形成されている垂立面４５ｂが係合孔３８の縁部に当接するため、ブーツ４Ｅのブーツ装着部１３，３３からの離脱を防止することができる。
【００９０】
図１５は、第６実施形態による光コネクタ１Ｆを説明するための図である。
【００９１】
光コネクタ１Ｆは、図１５（Ｂ）に示すようにブーツ４Ｆの上方のガイド部４２に係合突起４４Ｂを形成すると共に、図１５（Ｃ）に示すように下方のガイド部４２に係合孔４３Ｂを形成している。またブーツ装着部１３は、係合孔４３Ｂの形成位置と対応する位置に係合突起３６が形成されている。またブーツ装着部３３は、係合突起４４Ｂの形成位置と対応する位置に係合孔３８が形成されている。
【００９２】
本実施形態において開口４９からブーツ４Ｆを挿入すると、上方のガイド部４２に形成された係合突起４４Ｂはフェルールカバー３の背面に当接した後、弾性変形しつつブーツ装着部３３内を進行する。また、下方のガイド部４２はブーツ装着部１３に形成された係合突起３６に当接した後に弾性変形する。
【００９３】
そして所定位置までブーツ４Ｆがブーツ装着部１３，３３の所定位置まで進行すると、係合突起４４Ｂは係合孔３８と対向し、係合孔４３Ｂは係合突起３６と対向する。係合突起４４Ｂと係合孔３８が対向することにより、係合突起４４Ｂは元の形状に戻り係合孔３８と係合する。またガイド部４２も元の形状に戻り係合突起３６は係合孔４３Ｂに係合する。
【００９４】
このように、係合突起４４Ｂと係合孔３８とが係合し、係合突起３６と係合孔４３Ｂとが係合することにより、ブーツ４Ｆの前後方向に対する移動が規制される。よって光コネクタ１Ｆにおいても、接着剤を用いることなくブーツ４Ｆをブーツ装着部１３，３３に固定することが可能になる。
【００９５】
図１６は、第７実施形態による光コネクタ１Ｇを説明するための図である。
【００９６】
光コネクタ１Ｇは、図１６（Ｂ）に示すようにガイド部４２に形成した係合突起４５Ａに傾斜面４５ａを設けている。また、図１６（Ａ）に示すように、ブーツ装着部１３に形成した係合突起３７Ａに傾斜面３７ａを設けている。
【００９７】
係合突起４５Ａに傾斜面４５ａを設けることにより、ブーツ４をブーツ装着部１３，３３に挿入する際、係合突起４５は傾斜面４５ａの尖った部分から開口４９内に挿入される。また係合突起３７Ａに傾斜面３７ａを設けることにより、ブーツ４をブーツ装着部１３，３３に挿入する際、ガイド部４２の先端部は傾斜面３７ａに案内されながら進行する。
【００９８】
よって光コネクタ１Ｇにおいても、ブーツ４Ｅを小さい挿入力で円滑にブーツ装着部１３，３３内に挿入することができ、またブーツ４に引き抜き方向（Ｙ２方向）の力が印加されてもブーツ４Ｇのブーツ装着部１３，３３からの離脱を防止することができる。
【００９９】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【０１００】
１Ａ〜１Ｇ  光コネクタ
２  フェルールベース
３  フェルールカバー
４，４Ａ〜４Ｇ  ブーツ
５  光導波路
６  接続部
６ａ  先端基準面
８  カバー装着部
８ａ，８ｂ  上面
９  レンズアレイ
１０，１１  ガイドピン用孔
１２  光導波路装着面
１３，３９  ブーツ装着部
１４，２３，３７ａ，４５ａ  傾斜面
１６  ピン挿入溝
１７，１８  突出壁
１９  傾斜面
２０  第１基準面
２５  窓部
２６  先端面
２７  突起部
２８  面取り部
２９  押圧部
３０  対向部
３０ａ，３０ｂ  下面
３４  当接面
３６  係合突起
３７，３７Ａ  係合突起
３８，４３  係合孔
４１  本体部
４２  ガイド部
４４Ａ，４４Ｂ  係合突起
４５，４５Ａ  係合突起
５１  基部
５２  コア
５３  幅狭部
【図１】
2016142951.tif 000003
【図２】
2016142951.tif 000004
【図３】
2016142951.tif 000005
【図４】
2016142951.tif 000006
【図５】
2016142951.tif 000007
【図６】
2016142951.tif 000008
【図７】
2016142951.tif 000009
【図８】
2016142951.tif 000010
【図９】
2016142951.tif 000011
【図１０】
2016142951.tif 000012
【図１１】
2016142951.tif 000013
【図１２】
2016142951.tif 000014
【図１３】
2016142951.tif 000015
【図１４】
2016142951.tif 000016
【図１５】
2016142951.tif 000017
【図１６】
2016142951.tif 000018